【手続補正書】
【提出日】平成19年8月7日(2007.8.7)
【手続補正１】
【補正対象書類名】特許請求の範囲
【補正対象項目名】全文
【補正方法】変更
【補正の内容】
【特許請求の範囲】
【請求項１】
ネットワークインフラストラクチャ及び該ネットワークインフラストラクチャとエアインタフェースを介して通信する少なくとも１つのユーザ端末を備える無線システムにおける通信方法であって、
媒体アクセス制御エンティティにおいて、各論理チャネルのデータユニットにシーケンス番号を関連付ける段階を含む、ことを特徴とする方法。
【請求項２】
前記ユーザ端末においてシーケンス番号が関連付けられた少なくとも１つの論理チャネルのデータユニットを、前記ネットワークインフラストラクチャにおいて受信する段階と、
前記ネットワークインフラストラクチャのネットワーク構成要素において、各論理チャネルの前記データユニットを該データユニットに関連付けられた前記シーケンス番号の順序に並べる段階と、
を含む、請求項１に記載の方法。
【請求項３】
前記ユーザ端末から前記ネットワークインフラストラクチャに対して、前記エアインタフェースを介して、論理チャネルの少なくとも１つのデータユニットを含む少なくとも１つの再送を実行する段階を含む、請求項１に記載の方法。
【請求項４】
１つの送信時間区間の各データユニットに１つのシーケンス番号を関連付ける段階と、  連続した送信時間区間におけるデータユニットに連続したシーケンス番号を関連付ける段階と、
を含む、請求項１に記載の方法。
【請求項５】
１つの送信時間区間のデータユニットに連続したシーケンス番号を関連付ける段階と、  連続した送信時間区間におけるデータユニットに連続したシーケンス番号を関連付ける段階と、
を含む、請求項１に記載の方法。
【請求項６】
前記ユーザ端末の媒体アクセス制御-ｅエンティティにおいて、媒体アクセス制御-ｄエンティティからの媒体アクセス制御-ｅフローをトランスポートチャネルにマッピングする段階と、
データユニットに、前記媒体アクセス制御-ｄエンティティ及び前記媒体アクセス-ｅエンティティに共通のシーケンス番号を関連付ける段階と、
を含む、請求項１に記載の方法。
【請求項７】
論理チャネルにおいて、共通の送信シーケンス番号を有する第１の媒体アクセス制御エンティティのプロトコルデータユニットの送信シーケンスに関する情報を、前記第１の媒体アクセス制御エンティティの下に位置する第２の媒体アクセス制御エンティティのヘッダに付加する段階を含む、請求項１に記載の方法。
【請求項８】
拡張されたアップリンク個別チャネルを用いて前記データユニットを送信する段階を含む、請求項１に記載の方法。
【請求項９】
前記無線リンク制御エンティティにおいて、前記媒体アクセス制御エンティティにおいて、又は、前記ネットワークインフラストラクチャのネットワーク構成要素の前記無線リンク制御エンティティと前記媒体アクセス制御エンティティとの間にあるエンティティにおいて、各論理チャネルの前記データユニットを並べる段階を含む、請求項１に記載の方法。
【請求項１０】
無線ネットワーク制御装置において前記データユニットを並べる段階を含む、請求項１に記載の方法。
【請求項１１】
ネットワークインフラストラクチャ及び該ネットワークインフラストラクチャとエアインタフェースを介して通信する少なくとも１つのユーザ端末を備える無線システムにおける通信方法であって、
前記ユーザ端末の媒体アクセス制御エンティティにおいてシーケンス番号が関連付けられた少なくとも１つの論理チャネルのデータユニットを、前記ネットワークインフラストラクチャにおいて受信する段階と、
前記ネットワークインフラストラクチャのネットワーク構成要素の媒体アクセス制御エンティティにおいて、各論理チャネルの前記データユニットを前記シーケンス番号に従って並べる段階と、
を含む、ことを特徴とする方法。
【請求項１２】
ネットワークインフラストラクチャ及び該ネットワークインフラストラクチャとエアインタフェースを介して通信する少なくとも１つのユーザ端末を備える無線システムにおける通信方法であって、
１つの送信時間区間における論理チャネルの各データユニットに１つのシーケンス番号を関連付ける段階と、
送信側のユーザ端末において、連続した送信時間区間におけるデータユニットに連続したシーケンス番号を関連付ける段階と、
を含む、ことを特徴とする方法。
【請求項１３】
前記ユーザ端末においてシーケンス番号が関連付けられた少なくとも１つの論理チャネルのデータユニットを、前記ネットワークインフラストラクチャにおいて受信する段階と、
前記ネットワークインフラストラクチャにおいて、前記データユニットを、該ネットワークインフラストラクチャにおいて前記データユニットに関連付けられた前記シーケンス番号の順序に並べる段階と、
を含む、請求項１２に記載の方法。
【請求項１４】
前記ユーザ端末から前記ネットワークインフラストラクチャに対して、前記エアインタフェースを介して、論理チャネルの少なくとも１つのデータユニットを含む少なくとも１つの再送を実行する段階を含む、請求項１２に記載の方法。
【請求項１５】
論理チャネルにおいて、共通の送信シーケンス番号を有する第１の媒体アクセス制御エンティティのプロトコルデータユニットの送信シーケンスに関する情報を、前記第１の媒体アクセス制御エンティティの下に位置する第２の媒体アクセス制御エンティティのヘッダに付加する段階を含む、請求項１２に記載の方法。
【請求項１６】
同一の論理チャネル番号及び同一のシーケンス番号を有する媒体アクセス制御-ｄのデータユニットに対して、共通の媒体アクセス制御-ｅヘッダを与えることにより、データユニットにシーケンス番号を関連付ける段階と、
前記ネットワークインフラストラクチャにおける媒体アクセス制御-ｅエンティティにおいて、前記データユニットを、該データユニットに関連付けられたシーケンス番号の順序に並べる段階と、
を含む、請求項１２に記載の方法。
【請求項１７】
ネットワークインフラストラクチャ及び該ネットワークインフラストラクチャとエアインタフェースを介して通信する少なくとも１つのユーザ端末を備える無線システムのコンピュータプログラム製品であって、
ユーザ端末の媒体アクセス制御エンティティにおいて、各論理チャネルのデータユニットにシーケンス番号を関連付けることを含む、ことを特徴とするコンピュータプログラム製品。
【請求項１８】
共通の送信シーケンス番号を有する第１の媒体アクセス制御エンティティのプロトコルデータユニットの送信シーケンスに関する情報が、論理チャネルにおいて、前記第１の媒体アクセス制御エンティティの下に位置する第２の媒体アクセス制御エンティティのヘッダに付加されている、請求項１７に記載のコンピュータプログラム製品。
【請求項１９】
各論理チャネルのデータユニットが、前記ネットワークインフラストラクチャのネットワーク構成要素の前記媒体アクセス制御エンティティにおいて並べられる、請求項１７に記載のコンピュータプログラム製品。
【請求項２０】
前記ネットワークインフラストラクチャの前記ネットワーク構成要素において、前記ユーザ端末から送信された各論理チャネルの前記データユニットが、該データユニットに関連付けられた前記シーケンス番号の順序に並べられる、請求項１７に記載のコンピュータプログラム製品。
【請求項２１】
媒体アクセス制御-ｄエンティティにおいて、無線リンク制御エンティティにおいて、又は、前記ユーザ端末の前記無線リンク制御エンティティと前記媒体アクセス制御-ｄエンティティとの間にあるエンティティにおいて、各論理チャネルのデータユニットがシーケンス番号に関連付けられる、請求項１７に記載のコンピュータプログラム製品。
【請求項２２】
前記媒体アクセス制御-ｄエンティティにおいて、又は、前記無線リンク制御エンティティにおいて、前記ネットワークインフラストラクチャの前記ネットワーク構成要素の前記無線リンク制御エンティティと前記媒体アクセス制御-ｄエンティティとの間にあるエンティティにおいて、各論理チャネルの前記データユニットが前記シーケンス番号に従った順序に並べられる、請求項１７に記載のコンピュータプログラム製品。
【請求項２３】
前記ユーザ端末から前記ネットワークインフラストラクチャに対して、前記エアインタフェースを介して、論理チャネルの少なくとも１つのデータユニットを含む少なくとも１つの再送が実行される、請求項１７に記載のコンピュータプログラム製品。
【請求項２４】
ネットワークインフラストラクチャ及び該ネットワークインフラストラクチャとエアインタフェースを介して通信する少なくとも１つのユーザ端末を備える無線システムのコンピュータプログラム製品であって、
各々が１つのシーケンス番号に関連付けられた、１つの送信時間区間における論理チャネルのデータユニットを備え、
連続した送信時間区間におけるデータユニットが、送信側のユーザ端末において連続したシーケンス番号に関連付けられる、ことを特徴とするコンピュータプログラム製品。
【請求項２５】
前記ユーザ端末から送信された前記データユニットが、前記ネットワークインフラストラクチャにおいて、該データユニットに関連付けられた前記シーケンス番号の順序に並べられる、請求項２４に記載のコンピュータプログラム製品。
【請求項２６】
前記ユーザ端末から前記ネットワークインフラストラクチャに対して、前記エアインタフェースを介して、論理チャネルの少なくとも１つのデータユニットを含む少なくとも１つの再送が実行される、請求項２４に記載のコンピュータプログラム製品。
【請求項２７】
ネットワークインフラストラクチャ及び該ネットワークインフラストラクチャとエアインタフェースを介して通信する少なくとも１つのユーザ端末を備える無線システムのコンピュータプログラム製品であって、
前記ネットワークインフラストラクチャのネットワーク構成要素の媒体アクセス制御エンティティにおいて、各論理チャネルのデータユニットを、前記ユーザ端末において該データユニットに関連付けられた前記シーケンス番号の順序に並べることを含む、ことを特徴とするコンピュータプログラム製品。
【請求項２８】
ネットワークインフラストラクチャ及び該ネットワークインフラストラクチャとエアインタフェースを介して通信するように構成された少なくとも１つのユーザ端末を備える無線システムのネットワーク構成要素であって、
前記ネットワークインフラストラクチャの一部分であり、
ユーザ端末の媒体アクセス制御エンティティにおいてシーケンス番号が関連付けられた各論理チャネルのデータユニットを、ユーザ端末から受信するように構成され、
各論理チャネルの前記データユニットを、媒体アクセス制御エンティティにおいて該データユニットに関連付けられた前記シーケンス番号に従った順序に並べるように構成されている、ことを特徴とするコンピュータプログラム製品。
【請求項２９】
ネットワークインフラストラクチャ及び該ネットワークインフラストラクチャとエアインタフェースを介して通信するように構成された少なくとも１つのユーザ端末を備える無線システムの無線ネットワーク制御装置であって、
ユーザ端末の媒体アクセス制御エンティティにおいてシーケンス番号に関連付けられた各論理チャネルのデータユニットを、該ユーザ端末から受信し、
各論理チャネルの前記データユニットを、媒体アクセス制御エンティティにおいて該データユニットに関連付けられた前記シーケンス番号に従った順序に並べる、
ように構成されている、ことを特徴とする無線ネットワーク制御装置。
【請求項３０】
ネットワークインフラストラクチャを備える無線システムのユーザ端末であって、
媒体アクセス制御エンティティにおいて各論理チャネルのデータユニットにシーケンス番号を関連付けるように構成されている、ことを特徴とするユーザ端末。
【請求項３１】
論理チャネルにおいて、共通の送信シーケンス番号を有する第１の媒体アクセス制御エンティティのプロトコルデータユニットの送信シーケンスに関する情報を、前記第１の媒体アクセス制御エンティティの下に位置する第２の媒体アクセス制御エンティティのヘッダに付加する、ように構成されている、請求項３０に記載のユーザ端末。
【請求項３２】
前記ネットワークインフラストラクチャに対して前記データユニットを送信し、
前記ネットワークインフラストラクチャからのリクエストに対する応答として、エアインタフェースを介して、論理チャネルの少なくとも１つのデータユニットを含む少なくとも１つの再送を実行する、
ように構成されている、請求項３０に記載のユーザ端末。
【請求項３３】
ネットワークインフラストラクチャ及び該ネットワークインフラストラクチャとエアインタフェースを介して通信する少なくとも１つのユーザ端末を備える無線システムであって、
ユーザ端末が、媒体アクセス制御エンティティにおいて、各論理チャネルのデータユニットにシーケンス番号を関連付けるように構成されている、ことを特徴とする無線システム。
【請求項３４】
前記ユーザ端末が、論理チャネルにおいて、共通の送信シーケンス番号を有する第１の媒体アクセス制御エンティティのプロトコルデータユニットの送信シーケンスに関する情報を、前記第１の媒体アクセス制御エンティティの下に位置する第２の媒体アクセス制御エンティティのヘッダに付加する、ように構成されている、請求項３３に記載の無線システム。
【請求項３５】
ネットワークインフラストラクチャ及び該ネットワークインフラストラクチャとエアインタフェースを介して通信する少なくとも１つのユーザ端末を備える無線システムであって、
ユーザ端末が、媒体アクセス制御エンティティにおいて、各論理チャネルのデータユニットにシーケンス番号を関連付けるように構成されており、
前記ネットワークインフラストラクチャが、シーケンス番号が関連付けられた少なくとも１つの論理チャネルの前記データユニットを受信するように構成されており、
前記ネットワークインフラストラクチャが、各論理チャネルの前記データユニットを前記シーケンス番号の順序に並べるように構成されている、ことを特徴とする無線システム。
【請求項３６】
ネットワークインフラストラクチャ及び該ネットワークインフラストラクチャとエアインタフェースを介して通信する少なくとも１つのユーザ端末を備える無線システムであって、
ユーザ端末が、
１つの送信時間区間において論理チャネルの各データユニットに１つのシーケンス番号を関連付けるように、かつ、
連続した送信時間区間におけるデータユニットに連続したシーケンス番号を関連付けるように、
構成されている、ことを特徴とする無線システム。
【請求項３７】
無線システムにおけるユーザ端末の一部となっている装置であって、
各論理チャネルのデータユニットにシーケンス番号を関連付けるように構成されている、ことを特徴とする装置。